(57)【要約】患部に向かって筋を収縮させる適正なテーピングを誰もが施術できる身体貼着シートである。患部に当てられる伸縮率の小さい部分２と、その周囲の伸縮率の大きい部分３とで構成する。この身体貼着シート１を伸縮率の小さい部分２が患部に当たる状態で身体に貼着して使用することにより、伸縮率の大きい部分３が患部の周囲の筋を患部の側に収縮させるように作用するので、筋機能の補助、血流の促進に効果がある。
2005051260.tif 000002
【特許請求の範囲】
【請求項１】
患部に当てられる伸縮率の小さい部分と、その周囲の伸縮率の大きい部分とからなることを特徴とする身体貼着シート。
【発明の詳細な説明】
【技術分野】  この発明は、筋の弱箇所の補助、筋繊維の損傷や筋スパズム等の治療回復の促進を目的として身体に貼着して使用される身体貼着シートに関する。
【背景技術】  人間は日常生活やスポーツ等により身体を動かすことで筋肉が疲労し、それにより筋障害や筋スパズム等が引き起こされる。それが高じると、筋肉の痛みが生じ、さらには腰痛を始めとする身体各部位の障害を誘発する。また、身体に筋の強い箇所と弱い箇所が生じて、弱い箇所に必要以上のストレスがかかることも、怪我や障害の原因となっている。このような怪我や障害に対して、治療以外では、固定器具、バンド式のサポーター、テーピング等により患部を固定して保護する処置や、湿布薬やアイシングにより炎症を抑えて悪化を防止する処置が行われている。
一方で、多くの人が抱える一般的な肩こりや筋肉痛は、該当する部位の筋肉の使用頻度（筋の収縮運動）が少なくなることによる血行障害や疲労物質の除去能力の低下が大きな原因とされている。このような肩こりや筋肉痛に対しては、テーピングによる患部の固定や、磁気治療器、湿布薬等により筋の弛緩を促し症状を緩和させる処置が行われている。
いずれの場合にもテーピングは有効な処置方法であるが、テーピング用のテープやシートを適正に貼らないと、患部の周辺部までも固定してしまい、筋の動きが制限されて運動に障害がでるという弊害が生じる。また、患部を過度に固定してしまうと、自然治癒力の誘発が損なわれ、完治するまでに時間がかかることになる。この種の問題点はバンド式のサポーターについても言えることである。
テーピング用テープ（シートも含む）としては、伸縮性を有する所定形状の布又は類似物の裏面に粘着剤を塗布しただけの簡単なものが一般に使用されている。従来、この種のテーピング用テープは、布又は類似物の全体が同一素材、同一織成からなっており、どの部分も伸縮率が均一であった。なかには、身体の関節等のような形状が複雑な部分にも皺が生じることなく貼着できるようにしたもの（特開２００２−３５１９６号公報参照）や、関節の複雑な動きに対応できるようにしたもの（特許平１０−１９２３３７号公報参照）もあるが、これらも伸縮率が均一であることに変わりはない。
テーピングの施術に際しては、患部に向かって筋を収縮させるようにテーピングテープを貼るのが良いとされている。従来の伸縮率が均一なテーピング用テープを上記作用が生じる状態に身体に貼るには、部位ごとにテープの張り具合を調節しなければならず、よほど熟練した施術者でないと的確な処置が難しかった。一般の人が安易にテーピングの施術を行うと、前述したような運動障害や自然治癒力の低下を招く危険がある。
本発明は上記背景下でなされたものであり、患部に向かって筋を収縮させる適正なテーピングを誰もが施術できる身体貼着シートを提供することを課題としている。
【発明の開示】
本発明にかかる身体貼着シートは、患部に当てられる伸縮率の小さい部分と、その周囲の伸縮率の大きい部分とからなることを特徴としている。
この身体貼着シートでテーピングをする場合、伸縮率の小さい部分を患部に当てた状態で身体に貼着する。このように身体貼着シートを身体に貼着することにより、伸縮率の大きい部分が患部の周囲の筋を患部の側に収縮させるように作用する。
本発明の身体貼着シートは、特別難しい施術を行うことなく、単に患部を中心とする身体部位に貼着するだけで、患部の周囲の筋を患部の側に収縮させる作用が生じるので、痛みや損傷を軽減させられるとともに、自然治癒力を促進させて早期回復を図れ、さらには筋力の弱い箇所の補助にも有効である。
【図面の簡単な説明】  第１図は身体粘着シートの第１例（実施例１）を示す図であり、第２図は身体粘着シートの第２例（実施例２）を示す図であり、第３図は身体粘着シートの第３例（実施例３）を示す図であり、第４図は身体粘着シートの第４例（実施例４）を示す図である。また、第５図は身体粘着シートの第１例の使用状態を示す図であり、第６図は身体粘着シートの第２例の使用状態を示す図であり、第７図は身体粘着シートの第３例の使用状態を示す図であり、第８図は身体粘着シートの第４例の使用状態を示す図である。
【発明を実施するための最良の形態】  本発明の身体貼着シートは、伸縮率の小さい部分の周囲に伸縮率の大きい部分が配置されているという基本的な形態を包含する範囲内において、貼着される身体部位や症状に応じた種々の形状が考えられる。第１図〜４はその一例である。各図において、１Ａ，１Ｂ，１Ｃ，１Ｄは身体粘着シート、２は伸縮率の小さい部分、３は伸縮率の大きい部分である。粘着剤を塗布せずに、上に装着したバンド等により身体貼着シートを身体に貼着するようにしてもよい。
伸縮率が異なる２種類の素材を一体化することにより、伸縮率の小さい部分２と、伸縮率の大きい部分３とを形成している。伸縮率の小さい部分２の伸縮率ａは０％以上、伸縮率の大きい部分３の伸縮率ｂはａの２〜２０倍とするのが良い。両部分２，３の収縮率の違いにより、例えば第１図に示すように、伸縮率の大きい部分３を伸縮率の小さい部分２を中心として放射状（破線の矢印で示す方向）に伸縮させることができる。なお、伸縮率の小さい部分２の大きさは５〜５０ｍｍ程度が好ましい。
【実施例１】  第５図は第１図に示す身体粘着シート１Ａを慢性肩こりに対して使用した実施例を表している。肩こりは、仕事や生活の中で肩を上方へ上げる拳上運動が減少して、僧帽筋、肩甲拳筋、棘上筋、頭半棘筋、頭板状筋等の筋収縮が行われなくなることが原因とされている。その結果、血液の循環が悪くなり、酸素や栄養素の供給が低下して、筋肉自体が硬化してしまうことにより筋自体の痛み、及びそれに伴う神経圧迫や頭痛等が生じるのである。
肩こり部分に身体粘着シート１Ａを貼着すると、上記筋肉の収縮運動が起きて、患部への血流が促進され、酸素や栄養素が十分に供給されることにより、肩こりの改善が図られる。肩こりが発生する身体部位は、直線に近い肩のラインの前後両側に位置しているので、長方形をした第１図に示す身体粘着シート１Ａの使用が好適である。
【実施例２】  第６図は第２図に示す身体粘着シート１Ｂを野球肩に対して使用した実施例を表している。野球肩は、インナーマッスルとよばれる筋群（棘上筋、棘下筋、小円筋、肩甲下筋）の筋機能の低下が原因で発生する。インナーマッスルは肩関節の安定性を保持する役割があり、特に上腕部の動作（拳上や旋回）において必要とされる。インナーマッスルの筋機能が低下して肩関節の安定性がなくなると、筋収縮が強いアウターマッスルとよばれる筋群（大胸筋、僧帽筋、三角筋、広背筋）によって関節部にストレスを与えてしまい、腱の滑りを円滑にするための滑液包で炎症がおきて痛みが生じるのである。
筋量の少ないインナーマッスルに身体貼着シート１Ｂを貼着することにより、インナーマッスルの筋機能を向上させ、肩関節の安定させることができる。それにより、インナーマッスルとアウターマッスルとの協調性が高まり、肩周辺部の怪我予防と運動性の向上とに効果がある。インナーマッスルのある部位は外側に椀状に膨らんだ形状をしているので、第２図に示す身体粘着シート１Ｂのように、伸縮率の大きい部分３の一部に切欠部３ａ又は切り込みを入れた形状のものが好適である。
【実施例３】  第７図は第３図に示す身体粘着シート１Ｃを筋の筋損傷（肉離れ）に対して使用した実施例を表している。筋損傷は、筋繊維が裂けた状態であって、損傷部位から出血が生じる。これに対しては、従来、アイシングののち安静にするという処置が一般にとられていた。安静にしておくことにより筋が再生して治癒するが、反面、出血していた血液が固まって筋硬血等の二次疾患の原因になるおそれがある。また、筋の動きが制限されるとともに、回復期間が長くなるという問題点もある。
伸縮率の小さい部分２が損傷部位に当たるように身体貼着シート１Ｃを貼着することにより、損傷部位の周囲の筋肉が損傷部位の側に収縮し、その圧力で出血した血液や発痛物質の早期除去を促し、筋の再生を補助するとともに、損傷部位を保護する。大腿四頭筋に身体粘着シートを貼着する場合、必要範囲以上に筋を固定して歩行に障害がでるのを避けるため、円形をした第３図に示す身体粘着シート１Ｃの使用が好適である。
【実施例４】  第８図は第４図に示す身体粘着シート１Ｄを殿筋群の断裂に対して使用した実施例を表しており、殿筋群の動きの特徴を考慮して三角形状をしたものが使用されている。
【産業上の利用可能性】  本発明の身体粘着シートは、テーピング用のものに限定せず、湿布薬や薬効成分を塗布したものにも適用できる。
【図１】
2005051260.tif 000003
【図２】
2005051260.tif 000004
【図３】
2005051260.tif 000005
【図４】
2005051260.tif 000006
【図５】
2005051260.tif 000007
【図６】
2005051260.tif 000008
【図７】
2005051260.tif 000009
【図８】
2005051260.tif 000010
【手続補正書】
【提出日】平成18年9月29日(2006.9.29)
【手続補正１】
【補正対象書類名】明細書
【補正対象項目名】全文
【補正方法】変更
【補正の内容】
【発明の詳細な説明】
【技術分野】
【０００１】
この発明は、筋の弱箇所の補助、筋繊維の損傷や筋スパズム等の治療回復の促進を目的として身体に貼着して使用される身体貼着シートに関する。
【背景技術】
【０００２】
人間は日常生活やスポーツ等により身体を動かすことで筋肉が疲労し、それにより筋障害や筋スパズム等が引き起こされる。それが高じると、筋肉の痛みが生じ、さらには腰痛を始めとする身体各部位の障害を誘発する。また、身体に筋の強い箇所と弱い箇所が生じて、弱い箇所に必要以上のストレスがかかることも、怪我や障害の原因となっている。このような怪我や障害に対して、治療以外では、固定器具、バンド式のサポーター、テーピング等により患部を固定して保護する処置や、湿布薬やアイシングにより炎症を抑えて悪化を防止する処置が行われている。
【０００３】
一方で、多くの人が抱える一般的な肩こりや筋肉痛は、該当する部位の筋肉の使用頻度（筋の収縮運動）が少なくなることによる血行障害や疲労物質の除去能力の低下が大きな原因とされている。このような肩こりや筋肉痛に対しては、テーピングによる患部の固定や、磁気治療器、湿布薬等により筋の弛緩を促し症状を緩和させる処置が行われている。
【０００４】
いずれの場合にもテーピングは有効な処置方法であるが、テーピング用のテープやシートを適正に貼らないと、患部の周辺部までも固定してしまい、筋の動きが制限されて運動に障害がでるという弊害が生じる。また、患部を過度に固定してしまうと、自然治癒力の誘発が損なわれ、完治するまでに時間がかかることになる。この種の問題点はバンド式のサポーターについても言えることである。
【０００５】
テーピング用テープ（シートも含む）としては、伸縮性を有する所定形状の布又は類似物の裏面に粘着剤を塗布しただけの簡単なものが一般に使用されている。従来、この種のテーピング用テープは、布又は類似物の全体が同一素材、同一織成からなっており、どの部分も伸縮率が均一であった。なかには、身体の関節等のような形状が複雑な部分にも皺が生じることなく貼着できるようにしたもの（特開２００２−３５１９６号公報参照）や、関節の複雑な動きに対応できるようにしたもの（特許平１０−１９２３３７号公報参照）もあるが、これらも伸縮率が均一であることに変わりはない。
【０００６】
テーピングの施術に際しては、患部に向かって筋を収縮させるようにテーピングテープを貼るのが良いとされている。従来の伸縮率が均一なテーピング用テープを上記作用が生じる状態に身体に貼るには、部位ごとにテープの張り具合を調節しなければならず、よほど熟練した施術者でないと的確な処置が難しかった。一般の人が安易にテーピングの施術を行うと、前述したような運動障害や自然治癒力の低下を招く危険がある。
【０００７】
本発明は上記背景下でなされたものであり、患部に向かって筋を収縮させる適正なテーピングを誰もが施術できる身体貼着シートを提供することを課題としている。
【発明の開示】
【０００８】
本発明にかかる身体貼着シートは、患部に当てられる伸縮率の小さい部分と、その周囲の伸縮率の大きい部分とからなることを特徴としている。
【０００９】
この身体貼着シートでテーピングをする場合、伸縮率の小さい部分を患部に当てた状態で身体に貼着する。このように身体貼着シートを身体に貼着することにより、伸縮率の大きい部分が患部の周囲の筋を患部の側に収縮させるように作用する。
【００１０】
本発明の身体貼着シートは、特別難しい施術を行うことなく、単に患部を中心とする身体部位に貼着するだけで、患部の周囲の筋を患部の側に収縮させる作用が生じるので、痛みや損傷を軽減させられるとともに、自然治癒力を促進させて早期回復を図れ、さらには筋力の弱い箇所の補助にも有効である。
【図面の簡単な説明】
【００１１】
第１図は身体粘着シートの第１例（実施例１）を示す図であり、第２図は身体粘着シートの第２例（実施例２）を示す図であり、第３図は身体粘着シートの第３例（実施例３）を示す図であり、第４図は身体粘着シートの第４例（実施例４）を示す図である。また、第５図は身体粘着シートの第１例の使用状態を示す図であり、第６図は身体粘着シートの第２例の使用状態を示す図であり、第７図は身体粘着シートの第３例の使用状態を示す図であり、第８図は身体粘着シートの第４例の使用状態を示す図である。
【発明を実施するための最良の形態】
【００１２】
本発明の身体貼着シートは、伸縮率の小さい部分の周囲に伸縮率の大きい部分が配置されているという基本的な形態を包含する範囲内において、貼着される身体部位や症状に応じた種々の形状が考えられる。第１図〜４はその一例である。各図において、１Ａ，１Ｂ，１Ｃ，１Ｄは身体粘着シート、２は伸縮率の小さい部分、３は伸縮率の大きい部分である。粘着剤を塗布せずに、上に装着したバンド等により身体貼着シートを身体に貼着するようにしてもよい。
【００１３】
伸縮率が異なる２種類の素材を一体化することにより、伸縮率の小さい部分２と、伸縮率の大きい部分３とを形成している。伸縮率の小さい部分２の伸縮率ａは、０％或いは限りなく０％に近い値以上であり、伸縮率の大きい部分３の伸縮率ｂは、ａが０％である場合を除いてａの２〜２０倍とするのが良く、また伸縮率ａが０％である場合には、伸縮率ｂの方がａよりも大きくなるように構成する。両部分２，３の収縮率の違いにより、例えば第１図に示すように、伸縮率の大きい部分３を伸縮率の小さい部分２を中心として放射状（破線の矢印で示す方向）に伸縮させることができる。なお、伸縮率の小さい部分２の大きさは５〜５０ｍｍ程度が望ましい。
【００１４】
（実施例１）
第５図は第１図に示す身体粘着シート１Ａを慢性肩こりに対して使用した実施例を表している。肩こりは、仕事や生活の中で肩を上方へ上げる拳上運動が減少して、僧帽筋、肩甲拳筋、棘上筋、頭半棘筋、頭板状筋等の筋収縮が行われなくなることが原因とされている。その結果、血液の循環が悪くなり、酸素や栄養素の供給が低下して、筋肉自体が硬化してしまうことにより筋自体の痛み、及びそれに伴う神経圧迫や頭痛等が生じるのである。
【００１５】
肩こり部分に身体粘着シート１Ａを貼着すると、上記筋肉の収縮運動が起きて、患部への血流が促進され、酸素や栄養素が十分に供給されることにより、肩こりの改善が図られる。肩こりが発生する身体部位は、直線に近い肩のラインの前後両側に位置しているので、長方形をした第１図に示す身体粘着シート１Ａの使用が好適である。
【００１６】
（実施例２）
第６図は第２図に示す身体粘着シート１Ｂを野球肩に対して使用した実施例を表している。野球肩は、インナーマッスルとよばれる筋群（棘上筋、棘下筋、小円筋、肩甲下筋）の筋機能の低下が原因で発生する。インナーマッスルは肩関節の安定性を保持する役割があり、特に上腕部の動作（拳上や旋回）において必要とされる。インナーマッスルの筋機能が低下して肩関節の安定性がなくなると、筋収縮が強いアウターマッスルとよばれる筋群（大胸筋、僧帽筋、三角筋、広背筋）によって関節部にストレスを与えてしまい、腱の滑りを円滑にするための滑液包で炎症がおきて痛みが生じるのである。
【００１７】
筋量の少ないインナーマッスルに身体貼着シート１Ｂを貼着することにより、インナーマッスルの筋機能を向上させ、肩関節の安定させることができる。それにより、インナーマッスルとアウターマッスルとの協調性が高まり、肩周辺部の怪我予防と運動性の向上とに効果がある。インナーマッスルのある部位は外側に椀状に膨らんだ形状をしているので、第２図に示す身体粘着シート１Ｂのように、伸縮率の大きい部分３の一部に切欠部３ａ又は切り込みを入れた形状のものが好適である。
【００１８】
（実施例３）
第７図は第３図に示す身体粘着シート１Ｃを筋の筋損傷（肉離れ）に対して使用した実施例を表している。筋損傷は、筋繊維が裂けた状態であって、損傷部位から出血が生じる。これに対しては、従来、アイシングののち安静にするという処置が一般にとられていた。安静にしておくことにより筋が再生して治癒するが、反面、出血していた血液が固まって筋硬血等の二次疾患の原因になるおそれがある。また、筋の動きが制限されるとともに、回復期間が長くなるという問題点もある。
【００１９】
伸縮率の小さい部分２が損傷部位に当たるように身体貼着シート１Ｃを貼着することにより、損傷部位の周囲の筋肉が損傷部位の側に収縮し、その圧力で出血した血液や発痛物質の早期除去を促し、筋の再生を補助するとともに、損傷部位を保護する。大腿四頭筋に身体粘着シートを貼着する場合、必要範囲以上に筋を固定して歩行に障害がでるのを避けるため、円形をした第３図に示す身体粘着シート１Ｃの使用が好適である。
【００２０】
（実施例４）
第８図は第４図に示す身体粘着シート１Ｄを殿筋群の断裂に対して使用した実施例を表しており、殿筋群の動きの特徴を考慮して三角形状をしたものが使用されている。
【産業上の利用可能性】
【００２１】
本発明の身体粘着シートは、テーピング用のものに限定せず、湿布薬や薬効成分を塗布したものにも適用できる。
【手続補正２】
【補正対象書類名】特許請求の範囲
【補正対象項目名】全文
【補正方法】変更
【補正の内容】
【特許請求の範囲】
【請求項１】
患部に当てられる伸縮率の小さい部分と、その周囲の伸縮率の大きい部分とからなることを特徴とする身体貼着シート。
【国際調査報告】
2005051260.tif 000011
2005051260.tif 000012